(57)【要約】【課題】緊急ジョブであることを設定する手間無しに、急ぎのジョブであると判断した場合には、ユーザがジョブ実行装置の前で省電力モード解除時のウォームアップ待ちをする時間を短縮することができる電源管理装置を提供する。【解決手段】  ユーザがジョブの予約情報を送信し、その送信前後の所定時間内に、ＭＦＰ方向へ移動を開始した、ＭＦＰの近くで移動終了した、などの特定行動をとった場合は、その予約情報に係るジョブの実行は「急ぎ」であると判断し、またその特定行動の内容からユーザが使用するジョブ実行装置を予測し、その予測したジョブ実行装置へ省電力モード解除命令を送信する。【選択図】図１
2013156669.tif 000002
【特許請求の範囲】
【請求項１】
ユーザの移動状況を示す移動情報を取得する移動情報取得部と、
ユーザの端末から送信された、ジョブ実行装置で実行されるジョブの予約情報を受信する受信部と、
送信部と、
前記受信部によって前記予約情報が受信される前後の所定期間内にその予約情報を送信したユーザが特定の行動をとったか否かを前記移動情報取得部の取得した前記移動情報に基づいて判断し、真の場合に、前記送信部を用いて所定のジョブ実行装置に対して省電力モード解除命令を送信する制御部と、
を有する
ことを特徴とする電源管理装置。
【請求項２】
前記特定の行動は、移動開始、移動終了、の少なくとも一方である
ことを特徴とする請求項１に記載の電源管理装置。
【請求項３】
前記移動終了は、移動終了位置がジョブ実行装置から所定距離内の移動終了である
ことを特徴とする請求項２に記載の電源管理装置。
【請求項４】
前記所定のジョブ実行装置は複数台である
ことを特徴とする請求項１乃至３のいずれか１つに記載の電源管理装置。
【請求項５】
前記制御部は、前記特定の行動が、移動終了位置がジョブ実行装置から所定距離内の移動終了である場合は、前記移動終了位置に近いジョブ実行装置を前記所定のジョブ実行装置に優先的に選択する
ことを特徴とする請求項１乃至４のいずれか１つに記載の電源管理装置。
【請求項６】
前記制御部は、前記特定の行動が、前記予約情報を送信したユーザの座席から所定距離内に移動開始位置のある移動開始である場合は、前記ユーザの座席に近いジョブ実行装置を前記所定のジョブ実行装置に優先的に選択する
ことを特徴とする請求項１乃至５のいずれか１つに記載の電源管理装置。
【請求項７】
前記制御部は、前記特定の行動が移動開始の場合は、その移動方向に位置するジョブ実行装置を前記所定のジョブ実行装置に選択する
ことを特徴とする請求項１乃至５のいずれか１つに記載の電源管理装置。
【請求項８】
前記制御部は、前記特定の行動をとったユーザに係る前記省電力モード解除命令の送信の実績回数が規定回数以上の場合は、前記実績回数が前記規定回数未満の場合より前記所定のジョブ実行装置の台数を多くする
ことを特徴とする請求項１乃至７のいずれか１つに記載の電源管理装置。
【請求項９】
前記制御部は、前記所定期間に前記ユーザが前記特定の行動をとった場合は、前記省電力モード解除命令をｎ台のジョブ実行装置に送信し、前記所定期間に前記ユーザが前記特定の行動をとらなかった場合は、前記省電力モード解除命令をｍ台（ｎ，ｍは正の整数であって、ｎ＞ｍ）のジョブ実行装置に送信する
ことを特徴とする請求項１乃至８のいずれか１つに記載の電源管理装置。
【請求項１０】
前記制御部は、前記受信部によって受信された前記予約情報が示すジョブの種類に応じて、解除される部分の異なる省電力モード解除命令を送信する
ことを特徴とする請求項１乃至９のいずれか１つに記載の電源管理装置。
【請求項１１】
前記予約情報は、ジョブの設定情報を含み、
前記受信部の受信した前記予約情報を記憶する記憶部をさらに有し、
前記制御部は、前記所定のジョブ実行装置に対して、前記省電力モード解除命令を送信した後に前記予約情報を送信する
ことを特徴とする請求項１乃至１０のいずれか１つに記載の電源管理装置。
【請求項１２】
前記制御部は、前記所定期間に前記ユーザが前記特定の行動をとった場合は、前記所定のジョブ実行装置に通常状態への移行を指示する前記省電力モード解除命令を送信し、前記所定期間に前記ユーザが前記特定の行動をとらなかった場合は、前記所定のジョブ実行装置に前記通常状態より消費電力が少なく省電力モードより消費電力の多い第２省電力モードへの移行を指示する第２省電力モード移行命令を送信する
ことを特徴とする請求項１乃至１１のいずれか１つに記載の電源管理装置。
【発明の詳細な説明】
【技術分野】
【０００１】
本発明は、ジョブ実行装置に電源供給状態の変更指示を出す電源管理装置に関する。
【背景技術】
【０００２】
近年、エコ意識や、節電の要請等のため、ＦＡＸ、印刷機、コピー機、スキャナ等を備える複合機（ＭＦＰ）において、ユーザが使用しない状態では、装置の一部への電源の供給を停止することで装置全体に電源が供給される通常の状態（通常電力モードとする）よりも消費電力を抑えた省電力状態（省電力モードとする）で待機させることが広く普及してきている。
【０００３】
ユーザがＭＦＰを使用する際には、ＭＦＰを省電力モードから通常電力モードに切り替えてからジョブの実行を行う。ＭＦＰが省電力モードを解除し、通常電力モードに切り替える際にはウォームアップ等の待ち時間が生じてしまう。そこで、ユーザが自席の端末装置等からＭＦＰにジョブを投入してから、ＭＦＰに向かい到着するまでの間にＭＦＰの省電力モードを解除し、通常電力モードに切り替えておくことで、ユーザがＭＦＰの前でウォームアップ等が完了するまでの待ち時間を減らす技術が提案されている。
【０００４】
たとえば、特許文献１には、ユーザ端末から印刷データを画像形成装置に送信する際に、印刷データに即時印刷記号を付与するか否かを選択し、該即時印刷記号の付与されていない印刷データを受信した場合はその印刷ジョブを待機状態にしておき、該即時印刷記号が付与された印刷データを受信した場合は、それまで待機状態にしていた印刷ジョブを含めて連続して即時印刷を行うことで、スリープ状態（上記の省電力モードにあたる）と稼働状態（上記の通常電力モードにあたる）との間の移行回数を減らして省電力化を実現する方法が記載されている。
【先行技術文献】
【特許文献】
【０００５】
【特許文献１】特開２００９−２７１４１１号公報
【発明の概要】
【発明が解決しようとする課題】
【０００６】
特許文献１に開示されている方法では、ＭＦＰは即時印刷記号が付与された印刷データを受信したら、即時スリープ状態を解除し印刷を開始する。これにより、ユーザが端末装置から即時印刷記号が付与された印刷データをＭＦＰに送信し、ＭＦＰのある場所まで移動してからＭＦＰのスリープ状態を解除する場合よりも、早いタイミングでスリープ状態を解除し、印刷を開始することができる。
【０００７】
しかし、即時印刷記号が付与された印刷データを受信した際にＭＦＰがスリープ状態を解除するという方法では、即時印刷を行う度に手動で即時印刷記号を印刷データに付与する手間がかかってしまう。また、ユーザが印刷データを送信する際に、毎回即時印刷記号を付与した場合は、省電力の効果が低くなってしまう。
【０００８】
また、ジョブをホールドしているユーザがＭＦＰに接近すると、省電力モードを解除する従来技術があるが、この方法ではＭＦＰでのジョブの実行が目的でない時にＭＦＰに接近した場合にも、省電力モードが解除されてしまい、省電力効果が低くなってしまう。
【０００９】
本発明は、上記の問題を解決しようとするものであり、ユーザが「急ぎ」設定をする手間を省略しつつ、急ぎの場合にはユーザがジョブ実行装置の前で省電力モード解除時のウォームアップ待ちをする時間を短縮することができる電源管理装置を提供することを目的としている。
【課題を解決するための手段】
【００１０】
かかる目的を達成するための本発明の要旨とするところは、次の各項の発明に存する。
【００１１】
［１］ユーザの移動状況を示す移動情報を取得する移動情報取得部と、
ユーザの端末から送信された、ジョブ実行装置で実行されるジョブの予約情報を受信する受信部と、
送信部と、
前記受信部によって前記予約情報が受信される前後の所定期間内にその予約情報を送信したユーザが特定の行動をとったか否かを前記移動情報取得部の取得した前記移動情報に基づいて判断し、真の場合に、前記送信部を用いて所定のジョブ実行装置に対して省電力モード解除命令を送信する制御部と、
を有する
ことを特徴とする電源管理装置。
【００１２】
上記発明では、ジョブの予約情報の送信前後の所定期間内に該予約情報を送信したユーザが特定の行動をとった場合に、急ぎのジョブの予約であると推定して、省電力モード解除命令を電源管理装置から所定のジョブ実行装置に自動送信する。ジョブ実行装置は、通常の電力を消費する通常電力モードと、通常電力モードよりも消費電力の少ない省電力モードの切り替えが可能であり、ユーザが使用していない時は省電力モードで待機している。特定の行動とは、たとえば、ユーザが、ジョブの予約情報の送信前後の所定時間内に、ジョブ実行装置の方向へ移動を開始した、ジョブ実行装置の近くで移動終了した、などで、ジョブの実行のためにユーザがジョブ実行装置へ向かったことを推定し得る行動である。ここで、電源管理装置に送信される予約情報とは、ジョブの投入する予定のあることを示す情報が含まれればよい。好ましくは予約情報にジョブの設定情報（ジョブの実行条件）が含まれるとよい。なお、印刷ジョブやデータ送信ジョブなど端末からジョブ実行装置へ処理対象のデータを送信するジョブの場合は、予約情報に処理対象のデータをさらに含めてもよい。
【００１３】
［２］前記特定の行動は、移動開始、移動終了、の少なくとも一方である
ことを特徴とする［１］に記載の電源管理装置。
【００１４】
［３］前記移動終了は、移動終了位置がジョブ実行装置から所定距離内の移動終了である
ことを特徴とする［２］に記載の電源管理装置。
【００１５】
上記発明では、移動終了位置がジョブ実行装置から所定距離内の移動終了であれば、ユーザがジョブ実行装置に向かって移動しジョブ実行装置の前で立ち止まったことが特定される。
【００１６】
［４］前記所定のジョブ実行装置は複数台である
ことを特徴とする［１］乃至［３］のいずれか１つに記載の電源管理装置。
【００１７】
上記発明では、送信先が１台の場合、そのジョブ実行装置が他のユーザによって使用中であれば、ジョブの実行開始までに待ち時間が生じるので、予め複数台のジョブ実行装置に省電力モード解除命令を自動送信する。
【００１８】
［５］前記制御部は、前記特定の行動が、移動終了位置がジョブ実行装置から所定距離内の移動終了である場合は、前記移動終了位置に近いジョブ実行装置を前記所定のジョブ実行装置に優先的に選択する
ことを特徴とする［１］乃至［４］のいずれか１つに記載の電源管理装置。
【００１９】
上記発明では、ユーザがジョブ実行装置に向かって移動し、ジョブ実行装置の前で立ち止まった場合、省電力モード解除命令の自動送信先として、その立ち止まっているユーザに近いジョブ実行装置を優先的に選択する。
【００２０】
［６］前記制御部は、前記特定の行動が、前記予約情報を送信したユーザの座席から所定距離内に移動開始位置のある移動開始である場合は、前記ユーザの座席に近いジョブ実行装置を前記所定のジョブ実行装置に優先的に選択する
ことを特徴とする［１］乃至［５］のいずれか１つに記載の電源管理装置。
【００２１】
上記発明では、ユーザが自席の近くでジョブの予約情報を送信して移動を開始している場合は、ユーザが自席の近くのジョブ実行装置でジョブを実行する可能性が高いと推定し、省電力モード解除命令の自動送信先として、該ユーザの座席に近いジョブ実行装置を優先的に選択する。
【００２２】
［７］前記制御部は、前記特定の行動が移動開始の場合は、その移動方向に位置するジョブ実行装置を前記所定のジョブ実行装置に選択する
ことを特徴とする［１］乃至［５］のいずれか１つに記載の電源管理装置。
【００２３】
上記発明では、ユーザの移動方向にあるジョブ実行装置を、省電力モード解除命令の自動送信先として選択する。
【００２４】
［８］前記制御部は、前記特定の行動をとったユーザに係る前記省電力モード解除命令の送信の実績回数が規定回数以上の場合は、前記実績回数が前記規定回数未満の場合より前記所定のジョブ実行装置の台数を多くする
ことを特徴とする［１］乃至［７］のいずれか１つに記載の電源管理装置。
【００２５】
上記発明では、省電力モード解除命令を自動送信した実績回数が多いユーザは、忙しい人と考えられるので、そのような人が、省電力モード解除命令の送信先にて他人がそのジョブ実行装置を使用中の場合にジョブの実行開始までの待ち時間が生じないように、省電力モード解除命令の送信先を多くする。
【００２６】
［９］前記制御部は、前記所定期間に前記ユーザが前記特定の行動をとった場合は、前記省電力モード解除命令をｎ台のジョブ実行装置に送信し、前記所定期間に前記ユーザが前記特定の行動をとらなかった場合は、前記省電力モード解除命令をｍ台（ｎ，ｍは正の整数であって、ｎ＞ｍ）のジョブ実行装置に送信する
ことを特徴とする［１］乃至［８］のいずれか１つに記載の電源管理装置。
【００２７】
上記発明では、ジョブの予約情報の送信前後の所定期間内にユーザが特定の行動をとった場合には急ぎの場合であると判断し、ｎ台のジョブ実行装置に省電力モード解除命令を自動送信し、特定の行動をとらなかった場合は、急ぎの場合ではないと判断しｎ台より少ない台数のジョブ実行装置に省電力モード解除命令を自動送信する。すなわち、急ぎでない場合はｎ台のジョブ実行装置に省電力モード解除命令を送信するが、急ぎの場合には、省電力モード解除命令の送信先のジョブ実行装置を他人が先に使ってしまった場合を考慮して、省電力モード解除命令の送信先を多くしている。
【００２８】
［１０］前記制御部は、前記受信部によって受信された前記予約情報が示すジョブの種類に応じて、解除される部分の異なる省電力モード解除命令を送信する
ことを特徴とする［１］乃至［９］のいずれか１つに記載の電源管理装置。
【００２９】
上記発明では、ユーザが送信した予約情報におけるジョブの種類（例えば印刷ジョブ、スキャンジョブ等）によって、ジョブ実行装置が、そのジョブの実行に必要な部分のみ省電力モードを解除するような、省電力モード解除命令を自動送信する。これにより、そのジョブの実行に対して不必要な部分への無駄な電源供給を回避することができる。
【００３０】
［１１］前記予約情報は、ジョブの設定情報を含み、
前記受信部の受信した前記予約情報を記憶する記憶部をさらに有し、
前記制御部は、前記所定のジョブ実行装置に対して、前記省電力モード解除命令を送信した後に前記予約情報を送信する
ことを特徴とする［１］乃至［１０］のいずれか１つに記載の電源管理装置。
【００３１】
上記発明では、ジョブの設定情報（ジョブデータ）を含んだ予約情報を電源管理装置に記憶させておき、該電源管理装置が省電力モード解除命令の送信を行った後に、その省電力モード解除命令の送信先となったジョブ実行装置に、記憶しておいた予約情報を送信する。予め予約情報にジョブの設定情報を含ませておくことで、ユーザがジョブの設定情報を、予約情報とは別に設定する手間が省略される。
【００３２】
また、省電力モード解除命令の送信後直ぐに該予約情報を送信する場合は、ユーザがジョブ実行装置の前で、ジョブの設定情報（ジョブデータ）を電源管理装置からダウンロードする待ち時間を短縮することができる。省電力モードを解除後のジョブ実行装置を操作したユーザからの要求に応じて、ジョブの設定情報を送信する場合は、ユーザが使用するジョブ実行装置を予測してジョブの設定情報を送信する場合に比べて、確実にユーザの使用するジョブ実行装置に設定情報を送信することが出来る。
【００３３】
［１２］前記制御部は、前記所定期間に前記ユーザが前記特定の行動をとった場合は、前記所定のジョブ実行装置に通常状態への移行を指示する前記省電力モード解除命令を送信し、前記所定期間に前記ユーザが前記特定の行動をとらなかった場合は、前記所定のジョブ実行装置に前記通常状態より消費電力が少なく省電力モードより消費電力の多い第２省電力モードへの移行を指示する第２省電力モード移行命令を送信する
ことを特徴とする［１］乃至［１１］のいずれか１つに記載の電源管理装置。
【００３４】
上記発明では、ジョブの予約情報の送信前後の所定期間内に該ジョブの予約情報を送信したユーザが特定の行動をとらなかった場合は、急ぎでない場合と判断して、省電力モードに比べて消費電力が高いが、通常電力モードよりは消費電力が少ないモードであり、省電力モードよりも短時間で通常電力モードへ復帰することができる第２省電力モード（本実施の形態ではパワーセーブモード）への移行命令を電源管理装置から所定のジョブ実行装置に自動送信する。
【発明の効果】
【００３５】
本発明に係る電源管理装置によれば、ユーザが端末装置からジョブの予約情報を送信した場合に送信前後のそのユーザの行動からそのジョブが急ぎか否かを判断し、急ぎの場合には省電力モードの解除命令をジョブ実行装置に自動送信するので、急ぎのユーザが省電力モードから通常電力モードへの復帰をジョブ実行装置の前で待つ時間が短縮され、利便性が向上する。また、急ぎか否かを自動的に判断するので、ユーザは急ぎを示す特別な操作や指示を行う必要がない。また、急ぎか否かを判断するので、不必要に頻繁に省電力モードを解除することが回避される。
【図面の簡単な説明】
【００３６】
【図１】本発明の実施の形態に係るジョブ管理システムのシステム構成例を示す説明図である。
【図２】クライアントＰＣの概略構成を示すブロック図である。
【図３】携帯端末の構成例を示すブロック図である。
【図４】ＭＦＰの概略構成を示すブロック図である。
【図５】ジョブ管理サーバの概略構成を示すブロック図である。
【図６】ジョブ管理システムを利用するオフィスのレイアウトマップの一例を示す説明図である。
【図７】ユーザ情報テーブルの一例を示す説明図である。
【図８】ＭＦＰ情報テーブルの一例を示す説明図である。
【図９】省電力モード解除判断条件入力画面の一例を示す正面図である。
【図１０】省電力モード解除方法設定画面の一例を示す正面図である。
【図１１】予約情報のデータ内容の一例を示す図である。
【図１２】第１の特定行動の場合に携帯端末で行われる処理を示す流れ図である。
【図１３】第２の特定行動の場合に携帯端末で行われる処理を示す流れ図である。
【図１４】第３の特定行動の場合に携帯端末で行われる処理を示す流れ図である。
【図１５】第４の特定行動の場合に携帯端末で行われる処理を示す流れ図である。
【図１６】携帯端末がユーザの移動を検知した際の処理を示す流れ図である。
【図１７】ジョブ管理サーバでの処理を示す流れ図である。
【図１８】省電力モード解除判断処理を示す流れ図である。
【図１９】図１８の流れの続きを示す流れ図である。
【図２０】省電力モード解除判断処理で使用する各種の設定値を列挙して示す説明図である。
【図２１】送信先ＭＦＰ抽出処理を示す流れ図である。
【図２２】ＭＦＰで行われている処理を示す流れ図である。
【発明を実施するための形態】
【００３７】
以下、図面に基づき本発明の実施形態を説明する。
【００３８】
図１は、本発明に係る電源管理装置を含むジョブ管理システム１０のシステム構成例を示している。ジョブ管理システム１０は、オフィスなどに設けられたＬＡＮ（Local Area Network）などのネットワーク２に、ジョブ実行装置としての複数台のＭＦＰ２０と、パーソナルコンピュータなどのクライアントＰＣ４０と、ジョブ管理サーバ５０と、屋内ナビゲーションシステム８０と、屋内無線通信用のアクセスポイント８３とを接続して構成される。アクセスポイント８３は複数設置されている。また、ユーザの使用する携帯端末９０が無線通信によりアクセスポイント８３を通じてネットワーク２に接続される。本発明に係る電源管理装置の機能はジョブ管理サーバ５０が実行する。
【００３９】
ＭＦＰ２０は、原稿を光学的に読み取ってその複製画像を記録紙に印刷するコピージョブ、読み取った原稿の画像データをファイルにして保存したり外部装置へ送信したりするスキャンジョブ、クライアントＰＣから送出されたデータに係る画像を記録紙に印刷して出力する印刷ジョブなどのジョブを実行する機能を備えた、所謂、複合機である。ＭＦＰ２０は、ジョブの実行を行わない時は、装置の一部への電源の供給を停止することで、装置の全体に電源が供給される通常電力モードよりも消費電力を抑えた省電力モードで待機しており、ユーザがＭＦＰ２０に対して操作を行った際に省電力モードを解除し（通常電力モードに切り替えて）、ジョブの実行を行う。
【００４０】
ジョブ管理システム１０では、次のような流れでジョブの実行が行われる。まず、クライアントＰＣ４０からジョブ管理サーバ５０に対してジョブの予約情報が送信される。予約情報にはジョブに係る設定情報が含まれている。ジョブ管理サーバ５０はこれを受信して一時記憶する。ユーザが希望のＭＦＰ２０へ出向き、ユーザ認証（ユーザ識別情報の入力）や実行するジョブの予約情報の指定などの操作を行うと、該操作を受けたＭＦＰ２０はジョブ管理サーバ５０に対して予約情報の要求を送信する。要求を受信したジョブ管理サーバ５０はその送信元のＭＦＰ２０に対して指定された予約情報を送信し、該予約情報を受信したＭＦＰ２０はこれに基づいてジョブの実行を行う。予約情報にジョブに係る設定内容が含まれているので、ユーザは、ＭＦＰ２０にて詳細な設定を行うことなくジョブの実行を開始することができる。
【００４１】
なお、ユーザは、ジョブの予約情報をクライアントＰＣ４０からジョブ管理サーバ５０へ送信できるほか、携帯端末９０からジョブ管理サーバ５０に対して送信することもできる。
【００４２】
本発明に係るジョブ管理サーバ５０を備えたジョブ管理システム１０では、ジョブ管理サーバ５０がジョブの予約情報を受信した前後の所定期間内における、その予約情報の送り主であるユーザの行動を調べ、該ユーザがその所定期間内に特定行動をとった場合は、そのユーザが該予約情報に基づくジョブの実行を行おうとしていると判断し、所定のＭＦＰ２０へ省電力モードの解除命令を自動送信する。この解除命令を受信したＭＦＰ２０は、省電力モードを解除し（通常電力モードに移行し）、ジョブの実行を行う準備を開始する。ジョブの予約情報を投入した前後の所定期間内における、ユーザの行動から、ユーザが急ぎのジョブを実行しようとしているか否かを判断し、急ぎのジョブを実行しようとしていると判断した場合、即座に省電力モードを解除することで省電力モードから通常電力モードに移行する際に行うウォームアップが完了するまで、ユーザがＭＦＰ２０の前で待つ時間を減らすことができる。
【００４３】
特定行動は、移動開始、移動終了などである。詳細には、以下の４つの行動を特定行動とする。
（１）移動開始後、所定時間内にジョブの予約情報を送信し、かつその移動方向にＭＦＰ２０がある。
（２）移動終了後、所定時間内にジョブの予約情報を送信し、かつ移動終了位置がいずれかのＭＦＰ２０の近く（所定距離内）である。
（３）ジョブの予約情報を送信してから所定時間内に移動開始し、かつその移動方向にＭＦＰ２０がある。
（４）ジョブの予約情報を送信してから所定時間内に移動終了し、かつ移動終了位置がいずれかのＭＦＰ２０の近く（所定距離内）である。
【００４４】
上記（１）の特定行動は、ユーザが自席などからＭＦＰ２０に向かって移動を開始し、その所定時間内（たとえば、１０秒以内）に携帯端末９０などからジョブの予約情報を送信した、といった場合に対応する。ＭＦＰ２０へ向かう移動の開始直後にジョブの予約情報を送信しているので、この移動は、ジョブを実行するための移動であると推定する。
【００４５】
上記（２）の特定行動は、ユーザが自席などからＭＦＰ２０まで移動し、そのＭＦＰ２０の前で携帯端末９０などからジョブの予約情報を送信した、といった場合に対応する。ＭＦＰ２０の前まで移動し立ち止まった直後にジョブの予約情報を送信しているので、該予約情報に係るジョブの実行をユーザは急いでいると推定する。
【００４６】
上記（３）の特定行動は、ユーザが自席に設置されたクライアントＰＣ４０などからジョブの予約情報を送信した後、所定期間内にＭＦＰ２０に向けて移動を開始した、といった場合に対応する。ジョブの予約情報を送信した直後にＭＦＰ２０に向けて移動を開始しているので、この移動は、ジョブを実行するための移動であると推定する。
【００４７】
上記（４）の特定行動は、ユーザが自席などからＭＦＰ２０の近くまで来たときに携帯端末９０などからジョブの予約情報を送信し、その直後にＭＦＰ２０の前に到着して移動を終了した、といった場合に対応する。ＭＦＰ２０の近くまで来たときにジョブの予約情報を送信し、その後ＭＦＰ２０の前で立ち止まったので、該予約情報に係るジョブの実行をユーザは急いでいると推定する。
【００４８】
省電力モードの解除命令の送信先は、ユーザのとった特定行動からそのユーザが使用すると予測されるＭＦＰ２０を選定する。詳細には、特定行動が移動開始に係る上記（１）または（３）の特定行動であってジョブの予約情報送信時のユーザの位置がそのユーザの座席近くならば、そのユーザが通常使用するＭＦＰ２０を優先的に選定する。（１）または（３）の特定行動であってジョブの予約情報送信時のユーザの位置がそのユーザの座席近くでないならば、ユーザの移動方向にあるＭＦＰ２０を優先的に選定する。特定行動が移動終了に係る上記（２）または（４）の場合は、移動終了位置の近くにあるＭＦＰ２０を優先的に選定する。
【００４９】
このように、ジョブ管理システム１０では、ジョブの予約情報の送信前後におけるユーザの行動に基づいて、その予約情報に係るジョブの実行が「急ぎ」か否かを判断し、「急ぎ」と判断した場合に、そのユーザの行動からそのユーザがジョブの実行に使用すると予測されるＭＦＰ２０に対して省電力モードの解除命令を送信する。
【００５０】
なお、予約情報には、ジョブに係る設定情報が含まれているが、ジョブの種類によっては設定情報の他にも、ジョブの処理対象となるデータ（たとえば描画データやファイル等）を含む場合もある。たとえば、スキャンジョブに係る予約情報の場合は、スキャンする際の解像度や、スキャンして得たデータの送信先等の設定情報のみが含まれており、印刷ジョブに係る予約情報の場合は、印刷設定情報の他に、印刷対象となる描画データ等も含まれる。
【００５１】
上記のようなジョブの処理対象となるデータを含んだ予約情報を携帯端末９０から送信する際には、携帯端末９０から予約情報の作成指示（ジョブに係る設定情報と、処理対象のデータの指定情報）及びその送信指示をクライアントＰＣ４０に送信し、クライアントＰＣ４０は受信した作成指示に基づいて予約情報を作成し、その作成した予約情報を、該送信指示に従ってジョブ管理サーバ５０に送信する。これは、携帯端末９０にジョブの処理対象となるデータが保存されていない場合に、取り得る方法であり、携帯端末９０にジョブの処理対象となるデータが保存されている場合は、携帯端末９０からジョブ管理サーバ５０へ直接、そのデータを含む予約情報を送信することも可能である。
【００５２】
図２は、クライアントＰＣ４０の概略構成を示している。クライアントＰＣ４０は、制御部４１と、ユーザからの操作を受け付ける操作部４２と、操作画面など各種の画面が表示される表示部４３と、ジョブ管理サーバ５０など各種の外部装置とネットワーク２を通じて通信するためのネットワークＩ／Ｆ４４などとを備えて構成される。制御部４１は、各種演算を行うＣＰＵ（Central Processing Unit）、プログラムや固定データが記憶されたＲＯＭ（Read Only Memory）、ワークメモリに使用されるＲＡＭ（Random Access Memory）などを主要部として構成される。表示部４３は液晶ディスプレイなどの表示装置で構成される。操作部４２はキーボードやマウスなどの操作入力装置で構成される。
【００５３】
クライアントＰＣ４０には、ＯＳ（Operating System）プログラム、文書や画像、ジョブの予約情報を作成・編集するアプリケーションプログラム（予約情報作成用アプリケーションプログラム）、ブラウザプログラム、ジョブ管理サーバ５０へジョブの予約情報(以後、ジョブデータとも呼ぶ。)を送信するためのプログラム等がインストールされており、制御部４１はこれらを実行する。
【００５４】
制御部４１は、プログラムを実行することで、印刷ジョブやスキャンジョブ等のジョブの予約情報を作成し、これをネットワークＩ／Ｆ４４を通じてジョブ管理サーバ５０へ送信するジョブデータ送信部としての機能を果たす。たとえば、印刷ジョブの場合は、アプリケーションプログラム等で作成された文書からその印刷データを作成し、この印刷データおよび印刷部数などの設定情報を含む予約情報を作成して送信する。また、送信するジョブの予約情報には、該予約情報の送信を指示したユーザの識別情報や送信日時を示す情報を付加する機能を果たす。
【００５５】
図３は、携帯端末９０の構成例を示している。携帯端末９０は、ＣＰＵ、ＲＯＭ、ＲＡＭなどを主要部とする制御部９１と、ユーザからの操作を受け付ける操作部９２と、操作画面など各種の画面が表示される表示部９３と、アクセスポイント８３との間で無線通信を行うための無線ネットワークＩ／Ｆ９４などを備えて構成される。携帯端末９０にはＯＳプログラム、文書や画像を作成・編集するアプリケーションプログラム、ブラウザプログラム、ジョブの予約情報を作成してジョブ管理サーバ５０へ送信するためのプログラム（予約情報作成用アプリケーションプログラム）などがインストールされており、制御部９１はこれらを実行する。
【００５６】
制御部９１は、当該携帯端末９０（すなわち、これを使用するユーザ）の位置、移動開始、移動終了、移動方向を検知する検知部９１ａ、ユーザの識別情報および検知部９１ａで検知した位置を示す位置情報、検知部９１ａで検知した移動開始、移動終了、移動方向などの情報をジョブ管理サーバ５０に送信する送信部９１ｂの機能を果たす。ここでは、屋内ナビゲーションシステム８０からの位置検出用の信号を複数のアクセスポイント８３から受信することで、自装置の位置を検出するようになっている。
【００５７】
なお、携帯端末９０は、自端末の位置を認識し、この位置情報を、逐次、ジョブ管理サーバ５０に対して送信し、これを受信したジョブ管理サーバ５０が携帯端末９０から得た位置情報に時刻情報を付加して累積記憶するように構成し、この累積記憶されている位置情報から各ユーザの行動（移動開始、移動終了、移動方向など）をジョブ管理サーバ５０が認識するように構成されてもよい。
【００５８】
図４は、ＭＦＰ２０の概略構成を示している。ＭＦＰ２０は、制御部２１と、操作表示部２２と、画像形成部２３と、記憶部２４と、ネットワークＩ／Ｆ２５と、スキャナ部２６とファクシミリ通信部２７などを備えて構成される。
【００５９】
制御部２１は、ＣＰＵ、ＲＯＭ、ＲＡＭなどを有して構成される。制御部２１のＣＰＵでは、ＯＳプログラムをベースとし、その上で、ミドルウェアやアプリケーションプログラムなどが実行される。ＲＯＭには各種のプログラムが格納されており、これらのプログラムに従ってＣＰＵが処理を実行することで印刷ジョブやスキャンジョブの実行などＭＦＰ２０の各機能が実現される。ＲＡＭはＣＰＵがプログラムを実行する際に各種のデータを一時的に格納するワークメモリや画像データを格納する画像メモリなどとして使用される。
【００６０】
操作表示部２２は、表示部と操作部を備えて構成される。表示部は、液晶ディスプレイなどで構成され、初期画面、操作画面、設定画面などの各種の画面を表示する。操作部は、ユーザからジョブの投入や転送要求に関連する操作、設定操作などを受け付ける。操作部は、表示部の画面上に設けられて押下された座標位置を検出するタッチパネルのほか、テンキーや文字入力キー、スタートキーなどを備えて構成される。
【００６１】
画像形成部２３は、画像データに基づく画像を記録紙上に形成して印刷出力する機能を果たす。たとえば、記録紙の搬送装置と、感光体ドラムと、帯電装置と、入力される画像データに応じて点灯制御されるＬＤ（Laser Diode）と、ＬＤから射出されたレーザー光を感光体ドラム上で走査させる走査ユニットと、現像装置と、転写分離装置と、クリーニング装置と、定着装置とを有する、いわゆるレーザープリンタとして構成される。画像形成は他の方式でもかまわない。
【００６２】
ネットワークＩ／Ｆ２５は、ネットワーク２を通じて各種の外部装置と通信する。また、ジョブ管理サーバ５０に対して、ジョブの予約情報の送信要求を送信したり、ジョブ管理サーバ５０からジョブの予約情報等を受信したりする機能を果たす。
【００６３】
記憶部２４は、ハードディスク装置などの大容量不揮発の記憶装置であり、たとえば、受信したジョブの予約情報、印刷データや画像データなどのジョブに係るデータの保存などに使用される。
【００６４】
スキャナ部２６は、原稿を光学的に読み取って画像データを取得する機能を果たす。スキャナ部２６は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００６５】
ファクシミリ通信部２７は、ファクシミリ送信および受信に係る動作を制御する。
【００６６】
制御部２１は、ユーザ認証などによりＭＦＰ２０を使用するユーザを識別するユーザ識別部３１と、ジョブ管理サーバ５０に対してジョブの予約情報（ジョブデータ）の転送要求を行うジョブデータ要求部３２と、クライアントＰＣ４０などからジョブの予約情報を受信するジョブデータ受信部３３と、受信した予約情報に係るジョブや操作表示部２２で設定され投入されたジョブを実行するジョブ処理部３４と、当該ＭＦＰ２０が、通常電力モードの状態なのか省電力モードの状態なのかをジョブ管理サーバ５０に通知する省電力モード状態通知部３５と、省電力モードの解除命令を受け付ける省電力モード解除命令受信部３６としての機能を果たす。
【００６７】
図５は、ジョブ管理サーバ５０の概略構成を示している。ジョブ管理サーバ５０は、ＣＰＵ、ＲＯＭ、ＲＡＭなどを主要部とする制御部５１と、ハードディスク装置などで構成された記憶部５２と、ネットワーク２を通じてクライアントＰＣ４０、屋内ナビゲーションシステム８０、携帯端末９０などの外部装置と通信するためのネットワークＩ／Ｆ５３などとを備えて構成される。このほか、表示部や操作部を備えてもよい。なお、ジョブ管理サーバ５０は、ネットワークＩ／Ｆ５３を備えた汎用のサーバに所定のプログラムをインストールして構成されてもよい。
【００６８】
ジョブ管理サーバ５０の制御部５１は、ジョブデータ受信部６１と、ジョブデータ受信時刻管理部６２と、ユーザ情報管理部６３と、取得部６４と、管理部６５と、省電力モード解除判断部６６と、ジョブデータ管理部６７と、ＭＦＰ情報管理部６８と、ＭＦＰ省電力モード情報取得部６９と、解除命令送信先ＭＦＰ抽出部７０と、ジョブデータ送信部７１と、省電力モード解除履歴管理部７２などとしての機能を果たす。
【００６９】
ジョブデータ受信部６１は、クライアントＰＣ４０などからジョブの予約情報を受信し、該受信した予約情報を記憶部５２に格納して記憶させる機能を果たす。また、ジョブデータ受信部６１は、受信したジョブの予約情報に固有のジョブＩＤ（Identification）を割り当てて記憶する。
【００７０】
ジョブデータ受信時刻管理部６２は、受信した予約情報の受信時刻を管理する機能を果たす。ここでは、ジョブデータ受信部６１が割り当てたジョブＩＤに対応付けてジョブの予約情報の受信時刻を記憶する。この受信時刻は受信した予約情報に記述されている送信日時を使用してもよいし、ジョブ管理サーバ５０が予約情報を受信したとき、その時刻を所定の時計部や日時管理サーバに問い合わせて取得し、この取得した時刻を受信時刻としてもよい。
【００７１】
ユーザ情報管理部６３は、管理者などから各種のユーザ情報の設定を受け付ける機能、設定されたユーザ情報を、たとえば、図７のユーザ情報テーブル１２０のようにして記憶部５２に記憶する機能などを果たす。
【００７２】
取得部６４は、ユーザの位置情報、移動開始、移動終了、移動方向などの情報を、携帯端末９０もしくは屋内ナビゲーションシステム８０から取得する。管理部６５は、ユーザの移動開始時刻、移動終了時刻を管理する。
【００７３】
省電力モード解除判断部６６は、省電力モードの解除命令の送信を行うか否かを判断する。この判断は、ジョブの予約情報を送信したユーザの該予約情報の送信前後における行動が、前述した（１）から（４）のいずれかの特定行動に該当するか否かに基づいて行う。
【００７４】
ジョブデータ管理部６７は、ＭＦＰ２０からの要求に応じてジョブの予約情報の一覧を送信したり、記憶部５２に記憶されている各予約情報に係るジョブが実行済みであるか否か等を管理したりする機能を果たす。
【００７５】
ＭＦＰ情報管理部６８は、ジョブの予約情報の送信先となり得るＭＦＰ２０に関する情報の設定を受け付けて、たとえば、図８のＭＦＰ情報テーブル１３０のようにして記憶部５２に記憶する機能を果たす。
【００７６】
ＭＦＰ省電力モード情報取得部６９は、ＭＦＰ２０に対してそのＭＦＰ２０が通常電力モードの状態か、省電力モードの状態かを問い合わせて、その回答をＭＦＰ２０から受ける機能を果たす。
【００７７】
解除命令送信先ＭＦＰ抽出部７０は、登録されているＭＦＰ２０の中から、省電力モード解除命令の送信先とすべきＭＦＰ２０を抽出する機能を果たす。
【００７８】
ジョブデータ送信部７１は、ＭＦＰ２０から受信したジョブの予約情報の送信要求に基づいて、ジョブの予約情報をＭＦＰ２０へ送信する。
【００７９】
省電力モード解除履歴管理部７２は、省電力モード解除命令の送信履歴データを作成して記憶部５２に記憶する機能を果たす。ここでは履歴情報として、たとえば、省電力モード解除命令の送信の起因になったジョブの予約情報に係るユーザ名、ジョブＩＤ、省電力モード解除命令の送信日時、省電力モード解除命令の送信先などが登録される。
【００８０】
図６は、ジョブ管理システム１０を利用するオフィスのレイアウトマップ１１０の一例を示している。レイアウトマップ１１０には、オフィス内でのユーザの座席位置、各ＭＦＰ２０の位置などが示されている。図中のＡ〜Ｄは、それぞれユーザ名がＵｓｅｒＡ、ＵｓｅｒＢ、ＵｓｅｒＣ、ＵｓｅｒＤの各ユーザの座席位置を示している。また図中の「ＭＦＰ１〜ＭＦＰ５」は、それぞれ、ＭＦＰ名が「ＭＦＰ１」、「ＭＦＰ２」、「ＭＦＰ３」、「ＭＦＰ４」、「ＭＦＰ５」である各ＭＦＰ２０の配置位置を示している。
【００８１】
図７は、図６のレイアウトマップ１１０が示す配置下において、ジョブ管理サーバ５０の記憶部５２に登録されたユーザ情報テーブル１２０の一例を示している。ユーザ情報テーブル１２０には、ユーザ名、該ユーザの座席位置、該ユーザが通常使用するＭＦＰ２０のＭＦＰ名などが互いに関連付けて登録される。ここでは、ユーザ毎に、通常使用するＭＦＰ２０を複数台登録することができ、また、どのＭＦＰ２０を優先して使うのかを示す優先度を付加して登録することができる。優先度１は最も優先される。ここでは、優先度１から３までのＭＦＰ２０を登録できる。ユーザの座席位置は、図６のレイアウトマップ１１０の座標上での位置座標（Ｘ，Ｙ）で表してある。
【００８２】
図８は、図６のレイアウトマップ１１０が示す配置下において、ジョブ管理サーバ５０の記憶部５２に登録されたＭＦＰ情報テーブル１３０の一例を示している。ＭＦＰ情報テーブル１３０には、ＭＦＰ名と、このＭＦＰ名を持つＭＦＰ２０のＩＰアドレスと、位置情報とが対応付けて登録される。ＭＦＰ２０の位置情報は、図６のレイアウトマップ１１０の座標上での位置座標（Ｘ，Ｙ）で表してある。
【００８３】
図９は、省電力モードの解除命令を送信すべきか否かの判断基準となる各種設定値の設定を受けるための省電力モード解除判断条件入力画面１４０の一例を示している。省電力モード解除判断条件入力画面１４０は、ジョブ管理サーバ５０にて設定を行う場合はジョブ管理サーバ５０の表示部に表示され、管理者の端末装置からジョブ管理サーバ５０に対して遠隔で設定する場合にはその端末装置の表示部に表示される。
【００８４】
省電力モード解除判断条件入力画面１４０内の（１）から（４）はそれぞれ、前述した（１）〜（４）の特定行動に対応している。「判断時間」の欄において、「（１）移動開始から予約情報送信までの時間」の項目１４１で設定する時間は、ユーザの行動が前述した（１）の特定行動か否かを判断する際に使用される。同様に「（２）移動終了から予約情報送信までの時間」の項目１４２で設定する時間は、ユーザの行動が前述した（２）の特定行動か否かを判断する際に使用される。（３）、（４）の項目１４３、１４４についても同様である。
【００８５】
「ＭＦＰまでの距離」の欄では、「（２）条件時、現在位置とＭＦＰまでの距離」の項目１４５に設定する距離は、ユーザの行動が前述した（２）の特定行動か否かを判断する際に使用される。「（４）条件時、現在位置とＭＦＰまでの距離」の項目１４６に設定する距離は、ユーザの行動が前述した（４）の特定行動か否かを判断する際に使用される。
【００８６】
「解除命令を送信した頻度が高いＭＦＰ」の欄の項目１４７には、最新の予約情報の送信日時から何日前までの省電力モード解除命令の送信を、計数対象の履歴にするかの基準となる日数が設定される。また、項目１４８には、上記期間内に何回以上省電力モード解除命令が送信された場合に、省電力モード解除命令を送信している頻度が高いＭＦＰ２０であると判断するかの基準となる回数が設定される。
【００８７】
図１０は、省電力モードの解除方法に関する設定を受けるための省電力モード解除方法設定画面１５０の一例を示している。省電力モード解除方法設定画面１５０は、ジョブ管理サーバ５０にて設定を行う場合はジョブ管理サーバ５０の表示部に表示され、管理者の端末装置からジョブ管理サーバ５０に対して遠隔で設定する場合にはその端末装置の表示部に表示される。
【００８８】
省電力モードの解除方法としては、
１.ジョブの実行に必要なユニットのみ省電力モードを解除する、
２.全てのユニットの省電力モードを解除する、
３.パワーセーブモードへと移行する、
の中のいずれか１つを選択することができる。１.の方法ではジョブの予約情報からそのジョブの実行に必要なユニットを特定し、そのユニットだけ省電力モードを解除する。たとえば、ジョブが印刷ジョブの場合には、画像形成部２３は省電力モードの解除対象ユニットにするが、スキャナ部２６やファクシミリ通信部２７は省電力モードの解除対象ユニットにしない。ジョブがスキャンジョブの場合は、スキャナ部２６は省電力モードの解除対象ユニットになり、画像形成部２３やファクシミリ通信部２７は省電力モードの解除対象ユニットにしない。
【００８９】
２.の方法では、省電力モード解除の起因になった予約情報に係るジョブの種類に係ることなく、全てのユニットの省電力モードを解除する。３.の方法のパワーセーブモードとは、省電力モードに比べて消費電力が高いが、通常電力モードよりは消費電力が少ない電力供給モードであり、省電力モードよりも短時間で通常電力モードへ復帰することができる電力供給モードである。
【００９０】
図１１は、ジョブの予約情報のデータ内容の一例である予約情報データ１６０を示している。ジョブの予約情報には、ユーザ名、送信日時、そしてジョブの設定情報等が含まれている。印刷ジョブなどの処理対象となるデータを含む予約情報の場合には、印刷データなど処理対象のデータが更に含まれる。ジョブ管理サーバ５０は、受信した予約情報に含まれているユーザ名に合致するユーザが、該予約情報を送信した前後に行った行動から、省電力モード解除命令を送信するか否かを判断する。
【００９１】
次に、ジョブ管理システム１０の動作について説明する。まず、上記の４つの特定行動ごとに、携帯端末９０が行う処理の流れを説明する。
【００９２】
＜特定行動（１）の際の携帯端末９０の処理＞
図１２は上記（１）の特定行動の場合の処理の流れを示す。まず、ユーザが移動を開始することで、その移動開始を携帯端末９０が検知し、携帯端末９０がユーザ識別情報、移動開始情報、現在位置、移動方向をジョブ管理サーバ５０に通知する（ステップＳ１０１）。
【００９３】
次に携帯端末９０がユーザから予約情報作成用アプリケーションを起動する操作を受ける（ステップＳ１０２）。そして携帯端末９０がユーザからアプリケーション上でジョブの予約情報の作成操作を受ける（ステップＳ１０３）。これにより、その作成した予約情報が携帯端末９０からジョブ管理サーバ５０に対して送信され、ジョブ管理サーバ５０は、この予約情報を受信して登録する。なお、印刷ジョブに係る予約情報の作成において、クライアントＰＣ４０に保存されている文書データなどを印刷対象に指定した場合には、携帯端末９０からクライアントＰＣ４０に対して予約情報が送信され、クライアントＰＣ４０は処理対象に指定されている文書の印刷データをこの予約情報に付加してジョブ管理サーバ５０に転送し、ジョブ管理サーバ５０はこの予約情報を受信して登録する、というように動作する。
【００９４】
ユーザがＭＦＰ２０の前で移動を終了したことを携帯端末９０が検知したら（ステップＳ１０４）、携帯端末９０がユーザ識別情報、移動終了情報、現在位置をジョブ管理サーバ５０に通知し（ステップＳ１０５）、処理を終了する。
【００９５】
＜特定行動（２）の際の携帯端末９０の処理＞
図１３は上記（２）の特定行動の場合の詳細な流れを示す。まず、図１２でのステップＳ１０１からステップＳ１０３までと同様の処理を行う。これによって、ジョブ管理サーバ５０にジョブの予約情報（ユーザ識別情報も含む）が登録される。
【００９６】
次に、ユーザがＭＦＰ２０から所定の範囲内で移動を終了したことを携帯端末９０が検知したら（ステップＳ２０４）、携帯端末９０はユーザ識別情報、移動終了情報、現在位置をジョブ管理サーバ５０に通知し（ステップＳ２０５）、処理を終了する。
【００９７】
＜特定行動（３）の際の携帯端末９０の処理＞
図１４は、上記（３）の特定行動の場合の詳細な流れを示す。まず、携帯端末９０がユーザから予約情報作成用アプリケーションを起動する操作を受ける（ステップＳ３０１）。
【００９８】
そして携帯端末９０がユーザからアプリケーション上でジョブの予約情報の作成操作を受ける（ステップＳ３０２）。これにより、その作成した予約情報が携帯端末９０からジョブ管理サーバ５０に対して送信され、ジョブ管理サーバ５０は、この予約情報を受信して登録する。なお、印刷ジョブに係る予約情報の作成において、クライアントＰＣ４０に保存されている文書データなどを印刷対象に指定した場合には、携帯端末９０からクライアントＰＣ４０に対して予約情報が送信され、クライアントＰＣ４０は処理対象に指定されている文書の印刷データをこの予約情報に付加してジョブ管理サーバ５０に転送し、ジョブ管理サーバ５０はこの予約情報を受信して登録する、というように動作する。
【００９９】
なお、上記の例では携帯端末９０でジョブの予約情報の作成を行っているが、ユーザがクライアントＰＣ４０を操作してジョブの予約情報を作成するようにしてもよい。この場合、クライアントＰＣ４０からジョブ管理サーバ５０に対してジョブの予約情報が送信され、ジョブ管理サーバ５０はこの予約情報を受信して登録する。
【０１００】
次に、ユーザが移動を開始することで、その移動開始を携帯端末９０が検知し、携帯端末９０がユーザ識別情報、移動開始情報、現在位置、移動方向をジョブ管理サーバ５０に通知する（ステップＳ３０３）。
【０１０１】
ユーザがＭＦＰ２０の前で移動を終了したことを携帯端末が検知したら（ステップＳ３０４）、携帯端末９０はユーザ識別情報、移動終了情報、現在位置をジョブ管理サーバ５０に通知し（ステップＳ３０６）、処理を終了する。
【０１０２】
＜特定行動（４）の際の携帯端末９０の処理＞
図１５は、上記（４）の特定行動の場合の詳細な流れを示す。まず、ユーザが移動を開始することで、その移動開始を携帯端末９０が検知し、携帯端末９０がユーザ識別情報、移動開始情報、現在位置、移動方向をジョブ管理サーバ５０に通知する（ステップＳ４０１）。
【０１０３】
次に、ユーザがＭＦＰ２０から所定の範囲内で移動を終了したことを携帯端末が検知したら（ステップＳ４０２）、携帯端末９０はユーザ識別情報、移動終了情報、現在位置をジョブ管理サーバ５０に通知する（ステップＳ４０３）。
【０１０４】
携帯端末９０がユーザから予約情報作成用アプリケーションを起動する操作を受ける（ステップＳ４０４）。そして携帯端末９０がユーザからアプリケーション上でジョブの予約情報の作成操作を受ける（ステップＳ４０５）。これにより、その作成した予約情報が携帯端末９０からジョブ管理サーバ５０に対して送信され、ジョブ管理サーバ５０は、この予約情報を受信して登録する。なお、印刷ジョブに係る予約情報の作成において、クライアントＰＣ４０に保存されている文書データなどを印刷対象に指定した場合には、携帯端末９０からクライアントＰＣ４０に対して予約情報が送信され、クライアントＰＣ４０は処理対象に指定されている文書の印刷データをこの予約情報に付加してジョブ管理サーバ５０に転送し、ジョブ管理サーバ５０はこの予約情報を受信して登録する、というように動作する。
【０１０５】
図１６は、ユーザの移動開始、移動終了に伴って携帯端末９０で行われる処理の流れを示す。
【０１０６】
＜ユーザの移動開始、移動終了を検知した際の処理＞
携帯端末９０が移動開始を検知したら（ステップＳ５０１；Ｙｅｓ）、ユーザ識別情報、移動開始情報、現在位置、移動方向をジョブ管理サーバ５０に通知して（ステップＳ５０３）処理を終了する。
【０１０７】
移動開始を検知せずに（ステップＳ５０１；Ｎｏ）、移動終了を検知したら（ステップＳ５０２；Ｙｅｓ）、ユーザ識別情報、移動終了情報、現在位置をジョブ管理サーバ５０に通知して（ステップＳ５０４）処理を終了する。
【０１０８】
移動終了を検知しない場合は（ステップＳ５０２；Ｎｏ）、ステップＳ５０１に戻って処理を継続する。
【０１０９】
図１７は、ジョブの予約情報を受信したジョブ管理サーバ５０が行う処理の流れを示している。
【０１１０】
＜ジョブ管理サーバ５０で行われる処理＞
ジョブ管理サーバ５０は、クライアントＰＣ４０などからジョブの予約情報を受信すると（ステップＳ６０１）、その予約情報を送信したユーザの行動から、省電力モードの解除を行うか、否かを省電力モード解除判断処理によって判断し(ステップＳ６０２)、ジョブ管理サーバ５０の記憶部５２にその予約情報を保存する（ステップＳ６０３）。この省電力モード解除判断処理の詳細は後述するが、省電力モード解除判断処理では、前述した（１）〜（４）の特定行動をユーザがとったか否かが判断される。
【０１１１】
省電力モードを解除しないと判断したときは（ステップＳ６０４；Ｎｏ）、ステップＳ６０７に進む。
【０１１２】
一方、省電力モードを解除すると判断した場合は（ステップＳ６０４；Ｙｅｓ）、送信先ＭＦＰ抽出処理を行って(ステップＳ６０５)、省電力モード解除命令の送信先となるＭＦＰ２０を抽出する。そして、その抽出した送信先のＭＦＰ２０に省電力モード解除命令を送信する（ステップＳ６０６）。送信先ＭＦＰ抽出処理の詳細は後述する。
【０１１３】
いずれかのＭＦＰ２０からジョブの予約情報の要求を受けると（ステップＳ６０７）、その指定された予約情報を要求元のＭＦＰ２０へ送信して(ステップＳ６０８)、本処理を終了する。
【０１１４】
図１８、図１９は、省電力モード解除判断処理（図１７のステップＳ６０２）の詳細を示している。なお、図２０は、省電力モード解除判断処理で使用する各種の設定値を列挙している。
【０１１５】
＜省電力モード解除判断処理＞
ジョブ管理サーバ５０は、受信したジョブの予約情報からその予約情報を送信したユーザ(以後、該当ユーザとする)のユーザ名（ユーザＩＤ）、および該予約情報を送信した時間Ｔｊを読み取る(ステップＳ７０１)。図１１の予約情報データ１６０は、クライアントＰＣ４０や携帯端末９０が送信する予約情報のデータ内容の一例を示している。なお、予約情報の送信日時に代えて、当該予約情報をジョブ管理サーバ５０が受信した受信日時を使用してもかまわない。
【０１１６】
次に、該当ユーザに関する、最新の移動開始時間Ｔｓと最新の移動終了時間Ｔｅを確認する（ステップＳ７０２）。たとえば、ジョブ管理サーバ５０は、携帯端末９０から受信される各ユーザの位置情報、移動開始、移動終了、移動方向に関する情報をその受信した日時に対応付けて記憶しておき、これを解析して、上記最新の移動開始時間Ｔｓ及び、最新の移動終了時間Ｔｅを認識する。
【０１１７】
次に、該当ユーザが、移動開始後、Ｔ１の時間内に予約情報の送信を行い（Ｔ１＞Ｔｊ−Ｔｓ）、かつその移動方向にいずれかのＭＦＰ２０が存在するか否かを判定する（ステップＳ７０３）。この判定は、ユーザが前述の特定行動（１）をとったか否かの判定である。なお、Ｔ１は、省電力モード解除判断条件入力画面１４０の項目１４１で設定された時間である。
【０１１８】
上記判定結果が真ならば（ステップＳ７０３；Ｙｅｓ）、Ｓフラグを設定し(ステップＳ７１０)、「省電力モードを解除する」を返り値として(ステップＳ７１４)、本処理を終了する。Ｓフラグは、「省電力モードを解除する」との判断がユーザの移動開始行為に由来していることを示すフラグである。
【０１１９】
上記判定結果が偽ならば（ステップＳ７０３；Ｎｏ）、ユーザが前述の特定行動（２）をとったか否かを判定する(ステップＳ７０４)。すなわち、移動終了後、Ｔ２の時間内に予約情報を送信し（Ｔ２＞Ｔｊ−Ｔｅ）、かつ移動終了位置がＭＦＰ２０の近く（Ｄｎ＜Ｄ２）であるか否かを判定する。なお、Ｔ２は、省電力モード解除判断条件入力画面１４０の項目１４２で設定された時間である。Ｄｎはユーザの現在位置から最寄りのＭＦＰ２０までの距離であり、Ｄ２は省電力モード解除判断条件入力画面１４０の項目１４５で設定された距離である。ユーザの現在位置Ｄｎは、携帯端末９０から送信されてくる位置情報に基づいて認識する。
【０１２０】
上記判定結果が真ならば(ステップＳ７０４；Ｙｅｓ)、Ｅフラグを設定し(ステップＳ７１１)、「省電力モードを解除する」を返り値として(ステップＳ７１４)、本処理を終了する。Ｅフラグは、「省電力モードを解除する」との判断がユーザの移動終了行為に由来していることを示すフラグである。
【０１２１】
上記判定結果が偽ならば（ステップＳ７０４；Ｎｏ）、該当ユーザが新たな移動開始行為を行うか否かについての監視を開始する。ジョブ管理サーバ５０は、該当ユーザの移動開始を待って、携帯端末９０から移動開始の情報が送られてきたら、予約情報を送信した時刻（Ｔｊ）からその情報が送られてきた時刻までの時間がＴ３の時間内であるか否かを調べ(ステップＳ７０５)、時間内でない場合は（ステップＳ７０５；Ｎｏ）ステップＳ７０７に進む。
【０１２２】
時間内である場合は（ステップＳ７０５；Ｙｅｓ）、該当ユーザが、予約情報の送信後、Ｔ３の時間内に移動を開始し（Ｔ３＞Ｔｓ−Ｔｊ）、かつその移動方向にいずれかのＭＦＰ２０が存在するか否かを判定する（ステップＳ７０６）。この判定は、ユーザが前述の特定行動（３）をとったか否かの判定である。なお、Ｔ３は、省電力モード解除判断条件入力画面１４０の項目１４３で設定された時間である。
【０１２３】
上記判定結果が真ならば（ステップＳ７０６；Ｙｅｓ）、Ｓフラグを設定し(ステップＳ７１２)、「省電力モードを解除する」を返り値として(ステップＳ７１４)、本処理を終了する。
【０１２４】
上記判定結果が偽ならば（ステップＳ７０６；Ｎｏ）、ステップＳ７０７に進む。
【０１２５】
ステップＳ７０７では、該当ユーザが新たな移動終了行為を行うか否かについての監視を開始する。ジョブ管理サーバ５０は、該当ユーザの移動終了を待って、携帯端末９０から移動終了の情報が送られてきたら、予約情報を送信した時刻（Ｔｊ）からその情報が送られてきた時刻までの時間がＴ４の時間内であるか否かを調べ(ステップＳ７０７)、時間内でない場合は（ステップＳ７０７；Ｎｏ）ステップＳ７０９に進む。
【０１２６】
時間内である場合は（ステップＳ７０７；Ｙｅｓ）、ユーザが前述の特定行動（４）をとったか否かを判定する(ステップＳ７０８)。すなわち、予約情報を送信後、Ｔ４の時間内に移動終了し（Ｔ４＞Ｔｅ−Ｔｊ）、かつ移動終了位置がＭＦＰ２０の近く（Ｄｎ＜Ｄ４）であるか否かを判定する。なお、Ｔ４は、省電力モード解除判断条件入力画面１４０の項目１４４で設定された時間である。Ｄｎはユーザの現在位置から最寄りのＭＦＰ２０までの距離であり、Ｄ４は省電力モード解除判断条件入力画面１４０の項目１４６で設定された距離である。ユーザの現在位置Ｄｎは、携帯端末９０から送信されてくる位置情報に基づいて認識する。
【０１２７】
上記判定結果が真ならば(ステップＳ７０８；Ｙｅｓ)、Ｅフラグを設定し(ステップＳ７１３)、「省電力モードを解除する」を返り値として(ステップＳ７１４)、本処理を終了する。
【０１２８】
上記判定結果が偽ならば（ステップＳ７０８；Ｎｏ）、ステップＳ７０９に進む。
【０１２９】
ステップＳ７０９では、「省電力モードを解除しない」を返り値として本処理を終了する。
【０１３０】
次に、送信先ＭＦＰ抽出処理（図１７のＳ６０５）について説明する。
【０１３１】
＜送信先ＭＦＰ抽出処理＞
図２１は、送信先ＭＦＰ抽出処理の詳細を示している。まず、省電力モード解除判断処理においてＳフラグがセットされているか否かを調べる(ステップＳ８０１)。今回の省電力モード解除命令の送信が移動開始イベントに由来していることを示すＳフラグがセットされていれば（ステップＳ８０１；Ｙｅｓ）、該当ユーザの現在位置がそのユーザの座席位置付近か否かを調べる（ステップＳ８０２）。ここで、ジョブ管理サーバ５０は予約情報を受信した直後に本処理を実行するので、ユーザの現在位置は、このユーザが予約情報の送信時に居た位置に近いと考えられる。なお、ユーザの現在位置は、そのユーザの携帯端末９０から送信されてくる位置情報に基づいて認識する。
【０１３２】
該当ユーザの現在位置がそのユーザの座席位置付近ならば(ステップＳ８０２；Ｙｅｓ)、そのユーザの通常使用するＭＦＰ２０を、省電力「モード解除命令の送信先ＭＦＰ２０として抽出する(ステップＳ８０３)。すなわち、この場合、ユーザは、自席で予約情報の送信指示を出して直ぐに移動を開始しているので、自席の近くのＭＦＰ２０を出力先にする可能性が高い。そこで、そのユーザの通常使用するＭＦＰ２０を省電力モード解除命令の送信先ＭＦＰ２０として抽出する。なお、座席位置付近か否かは、たとえば、座席位置から半径１ｍ以内か否かなど、固定の距離で判別してもよいし、省電力モード解除判断条件入力画面１４０に当該項目を追加し、任意の距離を設定できるようにしてもよい。
【０１３３】
抽出対象となる通常使用するＭＦＰ２０はユーザ情報テーブル１２０（図７参照）に登録されている。ここでは、たとえば、優先度１のＭＦＰ２０を省電力モード解除命令の送信先ＭＦＰ２０として抽出する。なお、送信先ＭＦＰ２０が１台の場合に、そのＭＦＰ２０を他のユーザが使用中ならば、予約情報に係るユーザがすぐにその予約したジョブを開始できないので、複数台のＭＦＰ２０を省電力モード解除命令の送信先として抽出してもよい。ユーザ情報テーブル１２０に登録されている複数のＭＦＰ２０を抽出する場合には、優先度の高いものから優先的に抽出する。
【０１３４】
該当ユーザの現在位置がそのユーザの座席位置付近でない場合は（ステップＳ８０２；Ｎｏ）、このユーザの移動方向に設置されているＭＦＰ２０を省電力モード解除命令の送信先ＭＦＰ２０として抽出する(ステップＳ８０５)。すなわち、ユーザが自分の席以外の場所で移動を開始した状態のため、移動方向に設置されているＭＦＰ２０を抽出している。ここでも、複数のＭＦＰ２０を抽出してもよい。その場合はたとえば、移動方向にあってユーザの現在位置に近いＭＦＰ２０から優先的に抽出するようにしてもよい。
【０１３５】
Ｓフラグがセットされていない場合は（ステップＳ８０１；Ｎｏ）、ユーザの現在位置に近いＭＦＰ２０を省電力モード解除命令の送信先ＭＦＰ２０として抽出する（ステップＳ８０４）。Ｓフラグがセットされていなければ、今回の省電力モード解除命令の送信が移動終了イベントに由来していることを示すＥフラグがセットされている。したがって、このユーザは、移動終了位置（現在位置）の近くのＭＦＰ２０を出力先にする可能性が高い。そこで、ユーザの現在位置に近いＭＦＰ２０を省電力モード解除命令の送信先に抽出する。ここでも、複数のＭＦＰ２０を抽出してもよい。その場合、ユーザの現在位置に近いものから優先的に複数台を抽出する。
【０１３６】
また、送信先ＭＦＰ抽出処理において、複数のＭＦＰ２０を抽出する場合、以下のようなバリエーションも考えられる。
（１）ユーザの通常使用する１台のＭＦＰ２０を抽出し、そのＭＦＰ２０が他のユーザによって使用中の場合に限り、その使用中のＭＦＰ２０付近の別のＭＦＰ２０を抽出する。
（２）省電力モード解除判断処理で、Ｅフラグがセットされている場合は既にユーザの移動が終了しているため、「急ぎ」と判断し、複数のＭＦＰ２０に省電力モード解除命令を送信する。Ｓフラグがセットされている場合は１台のＭＦＰ２０を抽出する。
（３）省電力モード解除判断処理でＥフラグがセットされた（「急ぎ」と判断された）履歴が一定期間内に所定の回数を超えたユーザの場合は、複数のＭＦＰ２０を抽出する。それ以外の場合は１台のＭＦＰ２０を抽出する。
【０１３７】
図２２は、ＭＦＰ２０が省電力モードを解除されてから予約情報に基づくジョブを実行するまでの処理の流れを示す。
【０１３８】
＜ＭＦＰ２０が行う処理＞
まず、省電力モード解除命令を受信したら（ステップＳ８０１；Ｙｅｓ）、ステップＳ８０３に進む。省電力モード解除命令を受信せずに（ステップＳ８０１；Ｎｏ）、ユーザから手動で省電力モードの解除操作を受け付けたら（ステップＳ８０２）ステップＳ８０３に進む。
【０１３９】
ステップＳ８０３では、省電力モードの解除を行う。具体的には、ＭＦＰ２０は通常電力モードへの復帰を開始し、ウォームアップ等を行う。
【０１４０】
ウォームアップ等が完了し、通常電力モードへの復帰が完了する（ステップＳ８０４）。
【０１４１】
ユーザからユーザＩＤなどのユーザ識別情報の入力を受け付けてユーザ認証を行い（ステップＳ８０５）、更に、ユーザの操作によってジョブの予約情報の転送要求をジョブ管理サーバ５０に送信する（ステップＳ８０６）。ここでは、たとえば、ユーザ認証を行ったユーザの識別情報と合致する予約情報をジョブ管理サーバ５０に要求したり、ジョブ管理サーバ５０からジョブ管理サーバ５０に登録してある予約情報のリストを取得し、その中からユーザが送信要求を行う予約情報を指定し、その指定された予約情報の転送をジョブ管理サーバ５０に要求したりする。
【０１４２】
ステップＳ８０６で要求したジョブの予約情報をジョブ管理サーバ５０が送信し、これをＭＦＰ２０が受信する（ステップＳ８０７）。
【０１４３】
そして、受信した予約情報を読み取って、その予約情報に従ってジョブを実行し（ステップＳ８０８）、処理を終了する。たとえば、予約情報に係るジョブがスキャンジョブの場合には、ジョブ管理サーバ５０から受信した予約情報に従って原稿の読み取り条件の設定を行う。ユーザが原稿をセットしてスタート釦を押下すると、ＭＦＰ２０はこのセットされた原稿を先ほど設定した読み取り条件で読み取る。予約情報に係るジョブが印刷ジョブの場合、ＭＦＰ２０は、ジョブ管理サーバ５０から受信した予約情報に含まれている印刷データの印刷を、該予約情報に含まれている印刷条件に従って実行する。
【０１４４】
なお、ジョブ管理サーバ５０が省電力解除命令の送信時（好ましくは省電力モードが解除されて通常電力モードに戻った後）に、その送信先となるＭＦＰ２０に予約情報を送信し、ＭＦＰ２０がその予約情報の内容からジョブの実行に必要なユニットを認識し、そのユニットのみの省電力モードを解除するように構成してもよい。
【０１４５】
以上のように、本実施の形態に係るジョブ管理システム１０ではジョブ管理サーバ５０が携帯端末９０などからジョブの予約情報を受信した前後の所定期間内においてその予約情報の送り主であるユーザが特定の行動（印刷物を取りに行く行動）をとった場合に、該予約情報に係るジョブは急ぎのジョブであると判断し、その行動内容からユーザがその予約情報に係るジョブの実行に使用するＭＦＰ２０を予測し、その予測したＭＦＰ２０へ省電力モード解除命令を送信する。これにより、ユーザがＭＦＰ２０に到達した時点ですでに省電力モードから通常電力モードへの復帰が開始されているため、ユーザがＭＦＰ２０に到達してから省電力モードを解除し、省電力モードから通常電力モードへの復帰を開始する場合に比べ、通常電力モードへの復帰にかかるユーザの待ち時間を減らすことができる。
【０１４６】
また、ジョブ管理システム１０ではジョブ管理サーバ５０がジョブの予約情報を受信した前後の所定期間内において、その予約情報の送り主であるユーザが特定の行動をとった場合のみ、「急ぎのジョブ」と判断して省電力モード解除命令を送信するので、ジョブの予約情報に省電力モードの解除を要求するフラグを設定する必要が無い。また、急ぎの場合のみ省電力モードを解除するので、無駄に省電力モードを解除することもない。
【０１４７】
また、省電力モード解除命令の送信先ＭＦＰ２０を、ユーザの行動に基づいて抽出したＭＦＰ２０のみに限定するので、省電力モードを解除したＭＦＰ２０がそのユーザに使用される確率が高くなり、省電力モードの解除が無駄になることを少なく抑えることができる。
【０１４８】
なお、送信先ＭＦＰ抽出処理で抽出したＭＦＰ２０でユーザが必ずしもジョブを実行するとは限らないが、送信先ＭＦＰ抽出処理でより多くのＭＦＰ２０を抽出すれば、それだけ、ユーザがジョブを実行させたいＭＦＰ２０を省電力モードから前もって解除できる確率を高めることができる。一方、送信先ＭＦＰ抽出処理で抽出するＭＦＰ２０の台数を減らせば、省電力モードの解除が無駄になるＭＦＰ２０の台数を少なく抑えることができる。
【０１４９】
以上、本発明の実施形態を図面によって説明してきたが、具体的な構成は実施形態に示したものに限られるものではなく、本発明の要旨を逸脱しない範囲における変更や追加があっても本発明に含まれる。
【０１５０】
実施の形態ではジョブ管理サーバ５０がジョブ管理システム１０としての主たる機能を担うように構成したが、ジョブ管理システム１０の各機能をどの機器で行うか、もしくは複数の機器にどのように機能を分担させるかは任意であり、実施の形態で例示したシステム構成に限定されるものではない。
【０１５１】
また、ユーザの行動を追跡する方法は、携帯端末９０や屋内ナビゲーションシステム８０に限定されず任意の方法でよい。ＧＰＳ（Global Positioning System）を利用可能であれば、これを利用してもよい。また、携帯端末９０に代えて、ユーザの位置や移動を追跡する専用の端末やＩＣカードなどをユーザに携帯させるように構成してもよい。
【０１５２】
実施の形態では、省電力モード解除判断処理において、特定行動（１）〜（４）の４つについて判断したが、これらの中の少なくとも１つを判断する構成でもかまわない。また、移動開始に関する特定行動のみ、あるいは移動終了に関する特定行動のみを省電力モード解除判断処理での判断対象の行動としてもよい。さらに特定行動は、（１）から（４）以外の行動でもよい。急ぎの印刷であることを推定可能な行動であればよい。
【０１５３】
実施の形態では、印刷ジョブやスキャンジョブを例に説明したが、予約情報の対象ジョブはファクシミリジョブやコピージョブ等でもよい。
【０１５４】
実施の形態では、予約情報にジョブの設定情報が含まれていたが、予約情報はジョブを投入する予定であることを示す情報のみであってもよい。その場合は、ジョブの設定情報や処理対象のデータは別のサーバに送信しておき、ＭＦＰ２０からの要求に応じて該サーバからＭＦＰ２０に送信するといった構成を採用することができる。ユーザが出向いた先のＭＦＰ２０の操作表示部を操作してその予約情報に対応するジョブを投入すればよい。たとえば、ジョブを投入する予定であることのみを示す予約情報がジョブ管理サーバ５０に送信された場合は、ユーザが出向いた先のＭＦＰ２０にて、ジョブを投入することによってそのジョブの実行が開始される。
【０１５５】
ジョブ管理サーバ５０が、省電力モード解除命令の送信後直ぐにその省電力モード解除の起因になった予約情報をその解除命令の送信先へ送信する構成の場合、ユーザがＭＦＰ２０の前に到達してからジョブの予約情報（設定情報や処理対象のデータ）をダウンロードする待ち時間を短縮することができる。一方、省電力モード解除命令によって省電力モードが解除されたＭＦＰ２０を操作するユーザからの要求を受けてから、そのＭＦＰ２０にジョブの予約情報（設定情報や処理対象のデータ）を送信する場合は、ユーザが使用するＭＦＰ２０を予測してジョブの設定情報を送信する場合に比べて、確実にユーザの使用するＭＦＰ２０に設定情報を送信することが出来る。
【０１５６】
本発明の実施の形態では、省電力モード解除方法設定画面１５０で、省電力モードの解除方法を選択できるようにしていたが、たとえば、ジョブ管理サーバ５０が予約情報を受信した前後の所定期間内における、その予約情報の送り主であるユーザの行動を調べ、該ユーザがその所定期間内に特定行動をとった場合は、所定のＭＦＰ２０へ通常電力モードへの移行を指示する省電力モード解除命令を送信し、その所定期間内に特定の行動をとらなかった場合は、所定のＭＦＰ２０へパワーセーブモードへの移行を指示する省電力モード解除命令を送信するようにしてもよい。
【０１５７】
また、ジョブ管理サーバ５０が予約情報を受信した前後の所定期間内における、その予約情報の送り主であるユーザの行動を調べ、該ユーザがその所定期間内に特定行動をとった場合は、所定Ｎ台数のＭＦＰ２０へ省電力モード解除命令を送信し、その所定期間内に特定の行動をとらなかった場合は、Ｎ台より少ないＭ台のＭＦＰ２０へ省電力モード解除命令を送信するようにしてもよい。
【符号の説明】
【０１５８】
２…ネットワーク
１０…ジョブ管理システム
２０…ＭＦＰ
２１…制御部
２２…操作表示部
２３…画像形成部
２４…記憶部
２５…ネットワークＩ／Ｆ
２６…スキャナ部
２７…ファクシミリ通信部
３１…ユーザ識別部
３２…ジョブデータ要求部
３３…ジョブデータ受信部
３４…ジョブ処理部
３５…省電力モード状態通知部
３６…省電力モード解除命令受信部
４０…クライアントＰＣ
４１…制御部
４２…操作部
４３…表示部
４４…ネットワークＩ／Ｆ
５０…ジョブ管理サーバ
５１…制御部
５２…記憶部
５３…ネットワークＩ／Ｆ
６１…ジョブデータ受信部
６２…ジョブデータ受信時刻管理部
６３…ユーザ情報管理部
６４…取得部
６５…管理部
６６…省電力モード解除判断部
６７…ジョブデータ管理部
６８…ＭＦＰ情報管理部
６９…ＭＦＰ省電力モード情報取得部
７０…解除命令送信先ＭＦＰ抽出部
７１…ジョブデータ送信部
７２…省電力モード解除履歴管理部
８０…屋内ナビゲーションシステム
８３…アクセスポイント
９０…携帯端末
９１…制御部
９１ａ…検知部
９１ｂ…送信部
９２…操作部
９３…表示部
９４…無線ネットワークＩ／Ｆ
１１０…レイアウトマップ
１２０…ユーザ情報テーブル
１３０…ＭＦＰ情報テーブル
１４０…省電力モード解除判断条件入力画面
１４１〜１４８…項目
１５０…省電力モード解除方法設定画面
１６０…予約情報データ
【図１】
2013156669.tif 000003
【図２】
2013156669.tif 000004
【図３】
2013156669.tif 000005
【図４】
2013156669.tif 000006
【図５】
2013156669.tif 000007
【図６】
2013156669.tif 000008
【図７】
2013156669.tif 000009
【図８】
2013156669.tif 000010
【図９】
2013156669.tif 000011
【図１０】
2013156669.tif 000012
【図１１】
2013156669.tif 000013
【図１２】
2013156669.tif 000014
【図１３】
2013156669.tif 000015
【図１４】
2013156669.tif 000016
【図１５】
2013156669.tif 000017
【図１６】
2013156669.tif 000018
【図１７】
2013156669.tif 000019
【図１８】
2013156669.tif 000020
【図１９】
2013156669.tif 000021
【図２０】
2013156669.tif 000022
【図２１】
2013156669.tif 000023
【図２２】
2013156669.tif 000024